(57)【要約】  ガラス板が嵌め込まれる金属フレームを有するガラス扉を備えた冷蔵庫及び／又は冷凍庫に関するものであり、上記金属フレームは、上記扉の外殻を形成しており、上記ガラス板の前面側と周縁側とを覆うとともに上記扉の人目につく側を形成する前面部及び細幅部と、上記外殻に接続される周を取り巻くガラスホルダーとを備えている。本発明の冷蔵庫及び／又は冷凍庫は、上記外殻が、上記扉の人目につく側を継ぎ目無く形成する、周方向に一体化された一部材からなる金属ケーシングで構成されているとともに、上記ガラスホルダーが、上記金属ケーシングの背面側の周方向に発泡体層の裏付けをする、周を取り巻く発泡体に入れ込まれていることを特徴とする。【選択図】図４
2008522122.tif 000002
【特許請求の範囲】
【請求項１】
ガラス板６が嵌め込まれる金属フレーム５を有するガラス扉３を備えた冷蔵庫及び／又は冷凍庫であって、
上記金属フレーム５は、周方向に一体化された一部材からなる金属ケーシング７から構成されていることを特徴とする冷蔵庫及び／又は冷凍庫。
【請求項２】
請求項１記載の冷蔵庫及び／又は冷凍庫において、
上記金属ケーシング７は、特に深絞り加工及び／又は曲げ加工並びに溶着ビードされる、薄板に形成された異形材で構成されていることを特徴とする冷蔵庫及び／又は冷凍庫。
【請求項３】
請求項１又は２記載の冷蔵庫及び／又は冷凍庫において、
上記金属ケーシング７に発泡体層の裏付け又は発泡体の充填がされるように、発泡体１９が備えられていることを特徴とする冷蔵庫及び／又は冷凍庫。
【請求項４】
請求項１〜３のいずれか１つに記載の冷蔵庫及び／又は冷凍庫において、
上記金属ケーシング７の前面側が、上記扉３の幅及び／又は高さに亘って膨らんでいることを特徴とする冷蔵庫及び／又は冷凍庫。
【請求項５】
請求項４記載の冷蔵庫及び／又は冷凍庫において、
上記金属ケーシング７の上方及び／又は下方の横方向部材１１の前面側が、該上方及び／又は下方の横方向部材１１の長さ方向に曲がっていることを特徴とする冷蔵庫及び／又は冷凍庫。
【請求項６】
請求項１〜５のいずれか１つに記載の冷蔵庫及び／又は冷凍庫において、
上記金属ケーシング７は、周方向に一部材からなるカバーフレーム４２が嵌め込まれる、ガラス板用切欠き部４１を有していることを特徴とする冷蔵庫及び／又は冷凍庫。
【請求項７】
請求項６記載の冷蔵庫及び／又は冷凍庫において、
上記カバーフレーム４２は、全周で上記ガラス板用切欠き部４１の範囲を定める金属ケーシング７の端部４０にもたれかかっており、
望むらくはガラス板の平面と略平行に延びている上記端部を、特に差し込むことができる周方向の溝を備え、
上記端部４０が上記カバーフレーム４２によって両側で囲まれていることを特徴とする冷蔵庫及び／又は冷凍庫。
【請求項８】
請求項６又は７記載の冷蔵庫及び／又は冷凍庫において、
上記カバーフレーム４２は、上記ガラス板６に対する上記金属ケーシング７の前面側の曲がりを補う、変化する奥行き４５を有していることを特徴とする冷蔵庫及び／又は冷凍庫。
【請求項９】
請求項１〜８のいずれか１つに記載の冷蔵庫及び／又は冷凍庫において、
上記金属ケーシング７は、角のあるガラス板用切欠き部４１を有していることを特徴とする冷蔵庫及び／又は冷凍庫。
【請求項１０】
請求項１〜９のいずれか１つに記載の冷蔵庫及び／又は冷凍庫において、
上記ガラス板６に取り付けられるガラスホルダー１２が上記金属ケーシングに接続されていることを特徴とする冷蔵庫及び／又は冷凍庫。
【請求項１１】
請求項３又は６記載の冷蔵庫及び／又は冷凍庫において、
上記ガラスホルダー１２は、上記発泡体１９に入れ込まれていることを特徴とする冷蔵庫及び／又は冷凍庫。
【請求項１２】
請求項１〜１１のいずれか１つに記載の冷蔵庫及び／又は冷凍庫において、
上記ガラスホルダー１２は、上記金属フレーム５から内側に突出する支持部材１３を備え、
上記ガラス板６が上記支持部材に寄りかかるとともに、望むらくはその平坦側に接着されていることを特徴とする冷蔵庫及び／又は冷凍庫。
【請求項１３】
請求項１〜１２のいずれか１つに記載の冷蔵庫及び／又は冷凍庫において、
上記ガラス板６は、複数枚の板ガラス２１，２２，２３が互いに少し離れて配置され、望むらくは互いにスペーサー２４，２５によって連結される、多重ガラス板であることを特徴とする冷蔵庫及び／又は冷凍庫。
【請求項１４】
請求項１〜１３のいずれか１つに記載の冷蔵庫及び／又は冷凍庫において、
特に弾性シールリップ等のシール２７，２８が、上記金属ケーシング７と上記ガラス板６との間及び／又は上記ガラスホルダー１２と上記ガラス板６との間に備えられていることを特徴とする冷蔵庫及び／又は冷凍庫。
【請求項１５】
請求項１〜１４のいずれか１つに記載の冷蔵庫及び／又は冷凍庫において、
上記ガラス板６は、該ガラス板６を囲むとともに、該ガラス板の許容誤差を補正する弾性シール３３によって支持されていることを特徴とする冷蔵庫及び／又は冷凍庫。
【請求項１６】
請求項１５記載の冷蔵庫及び／又は冷凍庫において、
上記弾性シール３３は、上記ガラス板６のインナードア側に配置されていることを特徴とする冷蔵庫及び／又は冷凍庫。
【請求項１７】
請求項１５又は１６のいずれか１つに記載の冷蔵庫及び／又は冷凍庫において、
上記シール３３は、硬さ及び／又は屈曲性の異なる部分を有しており、
特に柔らかいシールリップが固い結合部に形成されていることを特徴とする冷蔵庫及び／又は冷凍庫。
【請求項１８】
請求項１７記載の冷蔵庫及び／又は冷凍庫において、
上記シール３３は、二成分法によって異なる材料から射出成形又は共有押し出し成形されていることを特徴とする冷蔵庫及び／又は冷凍庫。
【請求項１９】
請求項１〜１８のいずれか１つに記載の冷蔵庫及び／又は冷凍庫において、
上記金属ケーシング７は、上記ガラス板用切欠き部４１の方に向かって、該金属ケーシング７の前面側に対して角度を持つように曲げられる周縁ウェブ４０を備えていることを特徴とする冷蔵庫及び／又は冷凍庫。
【請求項２０】
請求項１９記載の冷蔵庫及び／又は冷凍庫において、
上記弾性シールが上記周縁ウェブ４０に取り付けられていることを特徴とする冷蔵庫及び／又は冷凍庫。
【請求項２１】
請求項１〜２０のいずれか１つに記載の冷蔵庫及び／又は冷凍庫において、
特に暖房装置、照明手段１５、温度計８等の付加的な応用例が、上記金属ケーシング７と上記ガラス板６との間で上記金属フレーム５に設けられていることを特徴とする冷蔵庫及び／又は冷凍庫。
【請求項２２】
請求項１〜２１のいずれか１つに記載の冷蔵庫及び／又は冷凍庫において、
上記ガラス板６を照明するための照明手段１５が上記金属フレーム５に備えられていることを特徴とする冷蔵庫及び／又は冷凍庫。
【発明の詳細な説明】
【技術分野】
【０００１】
本発明は、ガラス板が嵌め込まれた金属フレームを有するガラス扉を備える冷蔵庫及び／又は冷凍庫に関する。本発明の冷蔵庫は、特にワインを貯蔵するためのｃｌｉｍａｔｉｃ  ｃａｂｉｎｅｔｓにも用いることができる。
【背景技術】
【０００２】
従来の冷蔵庫のガラス扉には幾つかの問題点がある。ガラス扉の金属フレームが、留め継ぎ及び接合される、押し出し形成されたアルミニウム異形材から構成される限り、接合点での許容誤差から必然的にズレが生じる。さらに、押し出し形成された異形材に、鍵、視界窓等を組み入れることは困難である。加えて、金属フレームの外郭は、フレーム異形材によってある程度予め決定されており、せいぜい付加的な機械加工によってわずかにアレンジできる程度である。
【０００３】
ガラス扉が、溶接又は充填材料により、押し出し形成されたプラスチック異形材及び／又は射出成形された部品で構成されている限り、高品質の均整がとれた視覚的な外観は得られない。溶接することにより目立った接合点が生じる。加えて、種々のプラスチック部品を組合わせることによって、均一な色彩又は表面を得ることは概して困難である。
【０００４】
それゆえ、先行技術の問題点を回避するとともに後述の利点を得られる、改善された冷蔵庫及び／又は冷凍庫を作り出すことが本発明の根本的な目的である。特に、十分な安定性を有し、高品質の視覚的な外観を備えたガラス扉を作り出す必要がある。
【発明の開示】
【課題を解決するための手段】
【０００５】
本発明によれば、この目的は、請求項１に記載の冷蔵庫及び／又は冷凍庫によって解決される。本発明の好ましい態様は従属項に係るものである。
【０００６】
このため、本発明では、ガラス板を囲繞する金属フレームは複数の部材からは構成されていない。金属フレームは、少なくとも扉の目につく側が継ぎ目無く形成される、一部材からなる周方向に一体化された金属ケーシングで構成されている。このようにして、これまで得られなかった均質な視覚的な外観が実現する。色彩の偏り、目立ったズレ又は接合点は排除されている。扉の外殻は、完全に均一に製造され且つ整列された材料で構成されている。それにもかかわらず所用の安定性を得るために、金属ケーシングは、発泡体によって周方向に発泡体層の裏付けがされ、又は発泡体が充填されている。その結果、金属フレームに要求される通常の安定性を気にすることなく、一体化された一部材からなる金属ケーシングを実質的に多種且つほぼ要求通りに設計できる。
【０００７】
特に、一体化された一部材からなる金属フレームは、一体化されたシートバーから製造できるとともにガラス板用に中央に打ち抜かれた凹みを備えることができる、非切削で形成された薄板の異形材から構成されている。好ましいことに、金属ケーシングは深絞り成形が可能である。一方又は加えて、曲げ加工や溶着ビードすることができる。曲げ加工又は溶着ビードされていない周縁ウェブは、見えない領域にある接合点で溶接ができる。
【０００８】
金属ケーシングの内側は、その表面を覆う（好ましくはその全表面を覆う）発泡体と接続されている。特に、金属ケースが断面において互いに傾斜した側面を有するときは、発泡体層の裏付けにより相当の硬さを与えることができる。金属ケースの寸法精度は発泡によってかなり改善される。同時に、発泡体層の裏付けがされた金属ケースは、異形材の熱伝達率、いわゆるＫ値が相当改善される。さらに、発泡体はフレーム状での結露の形成や、ガラスへの移行を顕著に低減する。たとえ加熱しなくとも、金属フレームは、ほとんど結露を生じない。
【０００９】
前面側では、金属ケースは様々な外郭を与えることができる。本発明の有利な具体例によれば、金属ケーシングの前面側は扉の幅及び／又は高さに亘って膨らんでいる。それによって、ダイナミックな視覚的な外観とは別に、扉はそれ自身の剛性を向上させることができる。上記曲がりは、断面の曲がりによっては制限されず、また押し出し形成された異形材も曲げることができる。それどころか、金属フレームの上方及び下方の横方向部材（ｔｒａｎｓｖｅｒｓｅ  ｌｅｇ）は、その前面が横方向部の長さ方向に曲がっている、すなわち、曲がりのほぼ垂直軸周りに金属ケーシングの前面側の全体がわずかに曲がっており、それによって金属ケーシングは平面的なガラス板から造形的に突出する。
【００１０】
ガラス板への変わり目においても、明確且つ鮮明に描かれた視覚的な外観を得るために、金属ケーシングは、周方向に一部材からなるカバーフレームが嵌め込まれるガラス板用切欠き部を有している。カバーフレームは、全周でガラス板用切欠き部の範囲を定める金属ケーシングの端部にもたれかかることができるとともに、望むらくはガラス板の平面と略平行に延びている上記端部を、特に差し込むことができる周方向の溝を備えているので、金属ケーシングの端部がカバーフレームによって両側で囲まれる。カバーフレームは、ガラス板用切欠き部に対してわずかに大きめに、一つの部材で形成することが好ましい。それにもかかわらず、カバーフレームは弾性変形によってガラス板用切欠き部に嵌め込むことができる。
【００１１】
有利なことに、カバーフレームは、前面に間隙を生じること無く形成することができるとともに、ガラス板での間隙による解離をほぼ排除できることから、汚れの縞を回避できるとともに、完全な視覚的な外観が長期間保証される。
【００１２】
仮に金属ケーシングが扉の全幅に亘って反っていても、上記カバーフレームは、ガラス板の平面に対する金属ケーシングの前面の曲がりを補うために、変動する奥行きを有することができる。
【００１３】
有利なことに、金属ケーシングのガラス板用切欠き部を角張らせることができる。これにより、丸みのあるガラス板用切欠き部に対して、鮮明且つ明確な視覚的な外観を得ることができる。
【００１４】
しかしながら、このような角のあるガラス板用切欠き部は必ずしも備える必要がない。本発明の他の実施形態によれば、丸みのあるガラス板用切欠き部も金属ケーシングに採用することができる。
【００１５】
したがって、特に金属ケーシングは、ガラス板用切欠き部の方に向かって、金属ケーシングの前面に対して角度を持たせるように曲げられた周縁ウェブを備えることができる。このような角度を持たせた周縁ウェブは、金属ケーシング自体を剛化させ、扉に高い強度を与える。
【００１６】
ガラス板と金属ケーシングの間の許容誤差を補正するために、弾性シールを挿入することができる。特に上述した角度を持たせるように曲げられた周縁ウェブを用いる場合には、ガラス板の前面側で同様に弾性シールを挿入することが基本的には可能である。往々にして目障りとなるシールのｒｕｂｂｅｒ  ｂｅａｄによって乱されない、高精度の視覚的な外観を外側から得るために、許容誤差の埋合せは内側に移動される。その前面側では、ガラス板は、ガラス板用切欠き部の範囲を定める又は上述したカバーフレームが嵌め込まれる、金属ケーシングの端部に直接に接触する。許容誤差を補正するための弾性シール材は背面に装備される。
【００１７】
ガラス板は様々な方法で金属フレームに嵌めることができる。本発明によれば、フレーム補強材に取り付けることができるガラスホルダーがガラス板に備えられる。仮に上述した発泡体が充填されているなら、ガラスホルダーは発泡体へ入れ込むことができる。
【００１８】
有利なことに、ガラスホルダーは、金属フレームから内側へ突出する支持部材（ｓｕｐｐｏｒｔｉｎｇ  ｌｅｇ）を備えており、それによりガラス板が支持部材の平面側にもたれかかることができる。支持部材とガラス板との間では好適な結合が得られる。特にガラス板を支持部材に接着することができる。ガラス板にこれらの部品を接着することにより、扉は目的とする剛性を得る。
【００１９】
優れた断熱材を得るために、ガラス板は、複数の板ガラスが互いに少し離れて配列される、本発明に係る多重ガラスである。本発明の一実施形態によれば、端部に備えられた周方向のスペーサーによって互いに連結される３枚の板ガラスを提供することができる。
【００２０】
本発明によれば、ガラス板を囲むとともに弾性リップの補正によりガラス板の厚さを変化させる弾性リップシールは、金属ケーシングとガラス板との間及び／又はガラスホルダーとガラス板との間に備えることができる。一方、これにより湿気の進入が防がれる。他方、整った末端が生じる。
【００２１】
弾性シールは硬さ及び／又は屈曲性の異なる部分を有している。特に柔らかいシールリップは固い結合部に形成される。この目的のために、シール材は、異なるプラスチック材料から二成分法（ｔｗｏ−ｃｏｍｐｏｎｅｎｔ  ｍｅｔｈｏｄ）によって射出成形される。また、共有押し出し成形によって、より柔らかいシールリップを成形することも可能である。有利なことに、シール材はガラス板を単に密閉するだけではなく、同時にガラス板の支持機能を呈する。
【００２２】
扉を照明するために、ガラス板に光を案内する照明手段を金属フレームに備えることができる。この目的のために、金属フレームとガラス板との間の変わり目領域に発光ダイオード又は蛍光灯を備えることができる。それによって、装置内部の個別の照明を省略することも可能となる。さらに付加的な応用例として、例えばフレーム暖房装置のようなものも金属ケーシングの内側に備えることができる。
【００２３】
万一、扉が筐体のシールよりも上方及び／又は筐体のシールよりも下方に延長されれば、鍵又は温度計のような付加的な要素を適合できるのと同様に、例えば筐体を覆ったり筐体よりも突出させるための付加的部分（特に扉拡張部分）を金属フレームに取り付けることができる。
【発明を実施するための最良の形態】
【００２４】
次に、好ましい実施形態と関連図を参照しながら、本発明を詳細に説明する。
【００２５】
図１に示す冷蔵庫１は、それ自体は前面側が開放されているとともに、扉３によって閉じられる略立方体の筐体２を備えている。それ自体は知られているように、扉３は、図１の右側に配置される回転軸に対応するドアハンドル４によって開閉できるように、扉の垂直な回転軸周りに回転可能に筐体２取り付けられている。
【００２６】
図２に詳細に示すように、扉３はガラス板６が嵌め込まれた金属フレーム５を有するガラス扉からなる。このようなガラス扉では、金属フレームは通常やや幅が狭く形成されている。ガラス板６は通常幅や高さの２／３以上を占めている。
【００２７】
金属フレーム５は、特に非切削形成加工で一体化されたシートバーのように一つの部品で形成される、周方向に一体化された一部材からなる金属ケーシング７から構成されている。金属ケーシング７は、特に、深彫り成形又は曲げ加工及び溶着ビードが可能である。そのため金属ケーシング７には、有利なことに、少なくとも図２に示す目立つ側には、多数の金属フレーム部品から構成されていた従来の金属ガラス扉の場合ほど、継ぎ目又は接合点がない。
【００２８】
金属フレーム５の上部の横方向に延びる部分の近傍には、温度計８と鍵９のための打ち抜き穴が金属ケーシング７に形成されている。
【００２９】
金属ケーシング７がビード溶接された場合には、シートの端部と支持材を隠すとともに外観を改善するために、カバーは端面で取り付けることができる。
【００３０】
筐体２に扉３を定着させるために、シール１４が、ガラス板６周りの金属フレーム５の背面に周方向に取り付けられており、扉を閉めたときに筐体２への定着を促す。
【００３１】
万一、扉３がシール１４よりも上方及び／又は下方に延長されれば、鍵９又は温度計８のような付加的な要素を適合できるのと同様に、例えば筐体を覆ったり筐体よりも突出させるために、付加的部分を組み入れることができる。
【００３２】
図２に示すように、金属ケーシング７は、その前面側が扉の全幅に亘ってわずかに反って形成されている。上下の横方向部材１１は、その全長に沿って、すなわち、図１に示すように左から右へわずかに曲がっている。その結果生じるガラス板６の平面部に対する不一致は、後に詳細に述べるように、ガラス板用切欠き部に嵌め込まれるカバーフレーム、又は前面側に対して角度を持つように曲げられる金属ケーシングの周縁ウェブのいずれによっても補正される。
【００３３】
図３に示すように、金属ケーシング７は要求される横断的な外郭を得るために非切削で形成されるので、金属ケーシング７は前面側部分１６、背面側部分１８はもちろん細幅部分１７を含む。したがって、金属ケーシング７によって範囲が定められる背面側の空洞は発泡体が充填されているので、周を取り巻く発泡体１９は、金属ケーシング７の背面壁に全面的にもたれかかるとともに、金属ケーシングの寸法精度を大幅に改善する密閉されたフレーム補強材となる。発泡体層の裏付けがされた金属ケーシング７が、改善された断熱材を提供できることは、正当に評価されるべきである。金属フレーム５は実質的にはＫ値を向上させる。
【００３４】
図３に示すように、ガラスホルダー１２は、発泡体１９に入れ込まれている一方、ガラス板６のために内側へ突出する支持部材１３と、支持部材に対してＬ字型になるように角度を持たせた終端部材（ｔｅｒｍｉｎａｔｉｎｇ  ｌｅｇ）２０を備えている。ガラスホルダー１２として用いられる異形材は、金属ケーシング７によって範囲が明確にされていない金属フレーム５の開放側に関して、発泡体１９の範囲を明確にする。
【００３５】
ガラス板６は、互いに平行に配列されるとともに、スペーサー２４及び２５によって互いに接続される３枚のガラス２１，２２，２３から構成される３層ガラスからなっている。スペーサー２４及び２５は有利なことに全周に延びているので、おおむね塞がれた断熱のガラス容器が得られる。ガラス板６はガラスホルダー１２に嵌め込まれ、そこで支持部材１３に接着剤２６によって取り付けることができる。制限部材（ｌｉｍｉｔｉｎｇ  ｌｅｇ）２０に対しては、ガラス板６は周方向のシール２７によって固着される。
【００３６】
その中にガラス板６が嵌め込まれたガラスホルダー１２は、金属ケーシング７の開放側に背後から嵌め込まれ、ガラス板６用に金属ケーシング７の中央に打ち抜かれた凹部の端部が封止されるとともに、金属ケーシング７の端部に位置する追加シール２８によって整然と仕切られる。ガラスホルダー１２とともに嵌め込まれるガラス板が備えられると、金属ケーシング７の背後に形成される空洞は発泡体層の裏付けがされるので、ガラスホルダー１２は、発泡体１９へ入れ込まれる。図３に示すように、ガラスホルダー１２は、金属ケーシング７の背面側レッグ部分１８に寄りかかっている支持部分２９を含む。この支持部分２９には、支持体２に対して扉３を定着させるドアシール１４が形成されている。
【００３７】
図３に示すように、金属ケーシングのガラス板用切欠き部４１の範囲を定める金属ケーシング７の端部４０は、金属ケーシング７の前面側に対して内側へ曲げられており、更に最縁のウェブは、ガラス板平面と略平行に曲げられている。端部４０を曲げたデザインとすることにより、金属ケーシング７は大幅に増強された剛性を得る。シール２８は周縁ウェブ４０に取り付けられる。ガラス板の前面側で支持されるとともに、許容誤差を補正するシール２８のシールリップも同様に全周で差し込まれる。ここで重要なのは製造時の許容誤差だけではない。むしろ、例えば非常に高い高度での輸送中のように、圧力が変化すると多重ガラス板は厚さが変化するので、許容誤差の補正が必要になる。ガラス扉のこの実施形態では、有利なことにガラス板用切欠き部４１は、周縁ウェブを形成するために、完全な角状ではなく丸みを帯びている。
【００３８】
図４に示す実施形態も同様に、扉の全幅に亘って反りが形成されるとともに、断面的に３重に曲げられ、その中央の打ち抜かれた凹部にガラスホルダー１２を備えたガラス板６が嵌め込まれる、図２に示すような金属ケーシング７を含んでいる。ここでも同様に、ガラスホルダー１２は、金属ケーシング７の背面側レッグ部分１８に設置される支持部分２９を備えている。しかしながら、ガラスホルダー１２は、いわゆる裏返しに形成されている。ガラス板６が寄りかかっている支持部材１３は、ガラスホルダー１２の終端部材２０の前面側終端まで延びている。支持部材１３と金属ケーシング７の間には、いわゆるラビリンスシールを構成する、カバーフレーム４２形式の接合部が備えられている。カバーフレーム４２を形成する異形部品３１は、中央の打ち抜かれた凹部に隣接するとともにガラス板６の方に延びる、金属ケーシング７の端部を締め付けるように嵌め込まれており、異形部品１３はガラス板６に向いているフォークの様にデザインされている。支持部材１３に形成された周縁ウェブ３２はフォーク型異形材の内側に延びている。カバーフレーム４２は、周方向に１つの部材で形成されているとともに、ガラス板用切欠き部４１よりもわずかに大きい。図４に示すように、ガラス板用切欠き部４１の範囲を定める端部４０は、曲げられることなく、すなわち、ガラス板平面と略平行に延びている。カバーフレーム４２は、弾性変形するカバーフレーム４２によって端部４０が挿入される、周方向の溝を有しているので、上記端部は両側で囲まれる。カバーフレーム４２によって、特に、図２に示すように、ガラス板に対して金属ケーシングを曲げることもできる。金属ケーシングを曲げた結果、ガラス板平面からの端部４０の間隔が変えられる。カバーフレーム４２は、横方向部材１１の長さ方向に沿って変化する奥行きを有していることから、換言すれば、ガラス板に面する背面側が平坦面に形成されていることから、ガラス板と異形部材３１の対応するレッグとの間の間隙を最小限にできる。金属ケーシング７の端部４０に全周でもたれかかっている一体化したカバーフレーム４２によって、急峻で精密な視覚的な外観が得られる。特に、曲げられていない端部４０は、ガラス板用切欠き部４１の角状構造に急峻な端部を供給できる。
【００３９】
図４に示す実施形態では、ガラス６の許容誤差の埋合せは背面側に、換言すれば、扉の内側に移動する。背面側では、ガラス板６は、周を取り巻くシール３３によってガラスホルダーの中に保持されている。図４に示すように、周を取り巻くシール３３はガラスホルダー１２と係合可能であるとともに、ガラス板６の端部を覆う。周を取り巻くシール３３は、有利なことに、二成分法によって異なるプラスチック材料から射出成形又は共有押し出し成形される。特に、シール３３は、固い締結部材４４に形成される弾性シールリップ４３を備えている。図示した実施形態では、固い締結部材４４は、シール３３をガラスホルダー１２と係合させる係合部材を備えている。弾性シールリップ４３によって、ガラス板６に必要な許容誤差の補正が確実に行われる。圧力が減少している間にガラスの厚さが増大しているとき、それに応じてシールリップ４３が後退する。
【００４０】
図４に示す実施形態では、金属ケーシング７もまた背面側で発泡体の充填がされる。その結果、ガラスホルダー１２は発泡体１９に入れ込まれる。
【００４１】
切れ目のない金属ケーシング７によって、完全に一様に彩色されるとともに整列された材料から構成される、均質且つ見事な視覚的な外観が外表面において得られる。彩色の偏り、目立ったズレ又は接合点は、それによって排除される。さらに、印刷、塗装又は熱転写が可能であり、それによって金属フレームの外表面は消費者の特殊な要望に応えることができる。これまでは異なる材料を使用するために限定された範囲でのみ可能であったが、ガラス扉の彩色は当然筐体２に適応させることができる。
【図面の簡単な説明】
【００４２】
【図１】概略説明した本発明の好ましい実施形態に係るガラス扉を備えた冷蔵庫の透視図を示す。
【図２】図１のＡ−Ａ線における冷蔵庫のガラス扉の断面図を示す。
【図３】金属ケーシングに発泡体が充填されている、本発明の好ましい実施形態に基づく図１のガラス扉の断面図を示す。
【図４】図３と同様に、金属ケーシングに発泡体が充填されている、本発明の更に好ましい実施形態に基づくガラス扉の断面図を示す。
【符号の説明】
【００４３】
３    ガラス扉
５    金属フレーム
６    ガラス板
７    金属ケーシング
８    温度計
１１  横方向部材（ｔｒａｎｓｖｅｒｓｅ  ｌｅｇ）
１２  ガラスホルダー
１３  支持部材
１５  照明手段
１９  発泡体
２１、２２、２３  板ガラス
２４、２５  スペーサー
２７、２８  シール
３３  弾性シール
４０  金属ケーシングの端部、周縁ウェブ
４１  ガラス板用切欠き部
４２  カバーフレーム
【図１】
2008522122.tif 000003
【図２】
2008522122.tif 000004
【図３】
2008522122.tif 000005
【図４】
2008522122.tif 000006
【手続補正書】
【提出日】平成19年6月8日(2007.6.8)
【手続補正１】
【補正対象書類名】特許請求の範囲
【補正対象項目名】全文
【補正方法】変更
【補正の内容】
【特許請求の範囲】
【請求項１】
ガラス板６が嵌め込まれる金属フレーム５を有するガラス扉３を備えた冷蔵庫及び／又は冷凍庫であって、
上記金属フレーム５は、上記扉の外殻を形成しており、上記ガラス板６の前面側と周縁側とを覆うとともに上記扉の人目につく側を形成する、前面部１６及び細幅部１７と、上記外殻に接続される周を取り巻くガラスホルダー１２とを備え、
上記外殻は、周方向に一体化された一部材からなる金属ケーシング７で構成されており、
上記金属ケーシングは、上記扉の人目につく側が継ぎ目無く形成されており、
上記ガラスホルダー１２は、上記金属ケーシング７の背面側の周方向に発泡体層の裏付けをする、周を取り巻く発泡体１９に入れ込まれていることを特徴とする冷蔵庫及び／又は冷凍庫。
【請求項２】
請求項１記載の冷蔵庫及び／又は冷凍庫において、
上記金属ケーシング７の前面部１７が、上記扉の幅及び／又は高さに亘って膨らんでいることを特徴とする冷蔵庫及び／又は冷凍庫。
【請求項３】
請求項２記載の冷蔵庫及び／又は冷凍庫において、
上記金属ケーシング７は、特に深絞り加工及び／又は曲げ加工並びに溶着ビードされる、薄板に形成された異形材で構成されていることを特徴とする冷蔵庫及び／又は冷凍庫。
【請求項４】
請求項３記載の冷蔵庫及び／又は冷凍庫において、
上記金属ケーシング７の上方及び／又は下方の横方向部材１１の前面側が、該上方及び／又は下方の横方向部材１１の長さ方向に曲がっていることを特徴とする冷蔵庫及び／又は冷凍庫。
【請求項５】
請求項１〜４のいずれか１つに記載の冷蔵庫及び／又は冷凍庫において、
上記金属ケーシング７は、周方向に一部材からなるカバーフレーム４２が嵌め込まれる、ガラス板用切欠き部４１を有していることを特徴とする冷蔵庫及び／又は冷凍庫。
【請求項６】
請求項５記載の冷蔵庫及び／又は冷凍庫において、
上記カバーフレーム４２は、全周で上記ガラス板用切欠き部４１の範囲を定める金属ケーシング７の端部４０にもたれかかっており、
特に、望むらくはガラス板の平面と略平行に延びているこの端部を差し込むことができる周方向の溝を備え、
上記端部４０が上記カバーフレーム４２によって両側で囲まれていることを特徴とする冷蔵庫及び／又は冷凍庫。
【請求項７】
請求項５又は６記載の冷蔵庫及び／又は冷凍庫において、
上記カバーフレーム４２は、上記ガラス板６に対する上記金属ケーシング７の前面側の曲がりを補う、変化する奥行き４５を有していることを特徴とする冷蔵庫及び／又は冷凍庫。
【請求項８】
請求項１〜７のいずれか１つに記載の冷蔵庫及び／又は冷凍庫において、
上記金属ケーシング７は、角のあるガラス板用切欠き部４１を有していることを特徴とする冷蔵庫及び／又は冷凍庫。
【請求項９】
請求項１〜８のいずれか１つに記載の冷蔵庫及び／又は冷凍庫において、
上記ガラスホルダー１２は、上記金属フレーム５から内側に突出する支持部材１３を備え、
上記ガラス板６が上記支持部材に寄りかかるとともに、望むらくはその平坦側に接着されていることを特徴とする冷蔵庫及び／又は冷凍庫。
【請求項１０】
請求項１〜９のいずれか１つに記載の冷蔵庫及び／又は冷凍庫において、
上記ガラス板６は、複数枚の板ガラス２１，２２，２３が互いに少し離れて配置され、望むらくは互いにスペーサー２４，２５によって連結される、多重ガラス板であることを特徴とする冷蔵庫及び／又は冷凍庫。
【請求項１１】
請求項１〜１０のいずれか１つに記載の冷蔵庫及び／又は冷凍庫において、
特に弾性シールリップ等のシール２７，２８が、上記金属ケーシング７と上記ガラス板６との間及び／又は上記ガラスホルダー１２と上記ガラス板６との間に備えられていることを特徴とする冷蔵庫及び／又は冷凍庫。
【請求項１２】
請求項１〜１１のいずれか１つに記載の冷蔵庫及び／又は冷凍庫において、
上記ガラス板６は、該ガラス板６を囲むとともに、該ガラス板の許容誤差を補正する弾性シール３３によって支持されていることを特徴とする冷蔵庫及び／又は冷凍庫。
【請求項１３】
請求項１２記載の冷蔵庫及び／又は冷凍庫において、
上記弾性シール３３は、上記ガラス板６のインナードア側に配置されていることを特徴とする冷蔵庫及び／又は冷凍庫。
【請求項１４】
請求項１２又は１３記載の冷蔵庫及び／又は冷凍庫において、
上記シール３３は、硬さ及び／又は屈曲性の異なる部分を有しており、
特に柔らかいシールリップが固い結合部に形成されていることを特徴とする冷蔵庫及び／又は冷凍庫。
【請求項１５】
請求項１４記載の冷蔵庫及び／又は冷凍庫において、
上記シール３３は、二成分法によって異なる材料から射出成形又は共有押し出し成形されていることを特徴とする冷蔵庫及び／又は冷凍庫。
【請求項１６】
請求項１〜１５のいずれか１つに記載の冷蔵庫及び／又は冷凍庫において、
上記金属ケーシング７は、上記ガラス板用切欠き部４１の方に向かって、該金属ケーシング７の前面側に対して角度を持つように曲げられる周縁ウェブ４０を備えていることを特徴とする冷蔵庫及び／又は冷凍庫。
【請求項１７】
請求項１６記載の冷蔵庫及び／又は冷凍庫において、
上記弾性シールが上記周縁ウェブ４０に取り付けられていることを特徴とする冷蔵庫及び／又は冷凍庫。
【請求項１８】
請求項１〜１７のいずれか１つに記載の冷蔵庫及び／又は冷凍庫において、
特に暖房装置、照明手段１５、温度計８等の付加的な応用例が、上記金属ケーシング７と上記ガラス板６との間で上記金属フレーム５に設けられていることを特徴とする冷蔵庫及び／又は冷凍庫。
【請求項１９】
請求項１〜１８のいずれか１つに記載の冷蔵庫及び／又は冷凍庫において、
上記ガラス板６を照明するための照明手段１５が上記金属フレーム５に備えられていることを特徴とする冷蔵庫及び／又は冷凍庫。
【国際調査報告】
2008522122.tif 000007
2008522122.tif 000008
2008522122.tif 000009
2008522122.tif 000010